(57)【要約】【課題】通信に使用される電波の周波数帯域が拡大された状態でも、送信出力レベルが一定となる携帯電話機を提供する。【解決手段】ＰＡモジュール９３の出力信号ｐのレベルが基準電圧ＲＥＦＶ１に一次調整され、かつ、ストリップライン１００から出力される出力信号ｗのレベルが同出力信号ｗの周波数に関わらず基準電圧ＲＥＦＶ２となるように、同ＰＡモジュール９３の出力信号ｐのレベルが二次調整されるので、アイソレータ９６からＩ／Ｏポート１０２までの伝送回路の周波数特性に対して補正がかかり、同出力信号ｗが周波数に関わらず高精度で一定のレベルとなる。このため、近年の携帯電話機の利用者の増加により、通信に使用される電波の周波数帯域が拡大された状態でも、安定した通信が行われる。Ｉ／Ｏポート１０２に接続される外部回路の種類に関わらず、出力信号ｗのレベルが安定する。【選択図】図２
2007174252.tif 000002
【特許請求の範囲】
【請求項１】
所定の周波数の送信信号を発生する送信回路を有し、該送信回路は、送信用の入力信号を増幅して前記送信信号を発生する増幅回路と、該増幅回路から発生する前記送信信号を伝送して当該送信回路の外部へ出力する伝送回路とを備えてなる無線通信端末であって、
前記増幅回路から発生する前記送信信号のレベルを第１の目標値に一次調整し、かつ、前記伝送回路から出力される前記送信信号のレベルが当該送信信号の周波数に関わらず第２の目標値となるように、前記増幅回路から発生する前記送信信号のレベルを二次調整する信号レベル調整回路が設けられていることを特徴とする無線通信端末。
【請求項２】
前記送信信号の周波数は、
無線基地局によって指示されることを特徴とする請求項１記載の無線通信端末。
【請求項３】
前記伝送回路は、
高入力インピーダンスを有し、前記増幅回路から発生する前記送信信号を入力して一方向に出力するアイソレータと、
該アイソレータから出力される前記送信信号を当該送信回路の外部へ伝送する伝送ラインとを有し、
前記信号レベル調整回路は、
前記増幅回路から発生する前記送信信号を検波して第１の検波電圧を生成し、該第１の検波電圧と前記第１の目標値との差分に対応した第１の差分信号を生成する第１の検波回路と、
前記伝送ラインから出力される前記送信信号を検波して第２の検波電圧を生成し、該第２の検波電圧と前記第２の目標値との差分に対応した第２の差分信号を生成する第２の検波回路と、
前記第１の差分信号及び前記第２の差分信号を用いて所定の演算を行い、該演算結果に基づいて前記増幅回路の利得を制御する利得制御部とから構成されていることを特徴とする請求項１又は２記載の無線通信端末。
【請求項４】
前記利得制御部は、
前記伝送回路の出力側に接続される負荷のインピーダンスに基づいて前記第２の差分信号を調整して前記演算を行う構成とされていることを特徴とする請求項３記載の無線通信端末。
【請求項５】
所定の周波数の送信信号を発生する無線通信端末に用いられ、送信用の入力信号を増幅して前記送信信号を発生する増幅回路と、該増幅回路から発生する前記送信信号を伝送して当該送信回路の外部へ出力する伝送回路とを備えてなる送信回路であって、
前記増幅回路から発生する前記送信信号のレベルを第１の目標値に一次調整し、かつ、前記伝送回路から出力される前記送信信号のレベルが当該送信信号の周波数に関わらず第２の目標値となるように、前記増幅回路から発生する前記送信信号のレベルを二次調整する信号レベル調整回路が設けられていることを特徴とする送信回路。
【請求項６】
前記送信信号の周波数は、
無線基地局によって指示されることを特徴とする請求項５記載の送信回路。
【請求項７】
前記伝送回路は、
高入力インピーダンスを有し、前記増幅回路から発生する前記送信信号を入力して一方向に出力するアイソレータと、
該アイソレータから出力される前記送信信号を当該送信回路の外部へ伝送する伝送ラインとを有し、
前記信号レベル調整回路は、
前記増幅回路から発生する前記送信信号を検波して第１の検波電圧を生成し、該第１の検波電圧と前記第１の目標値との差分に対応した第１の差分信号を生成する第１の検波回路と、
前記伝送ラインから出力される前記送信信号を検波して第２の検波電圧を生成し、該第２の検波電圧と前記第２の目標値との差分に対応した第２の差分信号を生成する第２の検波回路と、
前記第１の差分信号及び前記第２の差分信号を用いて所定の演算を行い、該演算結果に基づいて前記増幅回路の利得を制御する利得制御部とから構成されていることを特徴とする請求項５又は６記載の送信回路。
【請求項８】
前記利得制御部は、
前記伝送回路の出力側に接続される負荷のインピーダンスに基づいて前記第２の差分信号を調整して前記演算を行う構成とされていることを特徴とする請求項７記載の送信回路。
【請求項９】
所定の周波数の送信信号を発生する送信回路を有し、該送信回路は、送信用の入力信号を増幅して前記送信信号を発生する増幅回路と、該増幅回路から発生する前記送信信号を伝送して当該送信回路の外部へ出力する伝送回路とを備えてなる無線通信端末に用いられ、
前記増幅回路から発生する前記送信信号のレベルを第１の目標値に一次調整し、かつ、前記伝送回路から出力される前記送信信号のレベルが当該送信信号の周波数に関わらず第２の目標値となるように、前記増幅回路から発生する前記送信信号のレベルを二次調整することを特徴とする送信出力制御方法。
【請求項１０】
前記送信信号の周波数は、
無線基地局によって指示されることを特徴とする請求項９記載の送信出力制御方法。
【請求項１１】
前記増幅回路から発生する前記送信信号を検波して第１の検波電圧を生成し、該第１の検波電圧と前記第１の目標値との差分に対応した第１の差分信号を生成する第１の検波処理と、
前記伝送回路から出力される前記送信信号を検波して第２の検波電圧を生成し、該第２の検波電圧と前記第２の目標値との差分に対応した第２の差分信号を生成する第２の検波処理と、
前記第１の差分信号及び前記第２の差分信号を用いて所定の演算を行い、該演算結果に基づいて前記増幅回路の利得を制御する利得制御処理とを行うことを特徴とする請求項９又は１０記載の送信出力制御方法。
【請求項１２】
前記利得制御処理では、
前記伝送回路の出力側に接続される負荷のインピーダンスに基づいて前記第２の差分信号を調整して前記演算を行うことを特徴とする請求項１１記載の送信出力制御方法。
【発明の詳細な説明】
【技術分野】
【０００１】
この発明は、無線通信端末、該無線通信端末に用いられる送信回路及び送信出力制御方法に係り、特に、近年の携帯電話機の利用者の増加により、通信に使用される電波の周波数帯域が拡大された状態で用いて好適な無線通信端末、該無線通信端末に用いられる送信回路及び送信出力制御方法に関する。
【背景技術】
【０００２】
携帯電話機に無線接続される無線基地局は、電波の空きチャネルをさがし出して、同携帯電話機にそのチャネルを指示した後、通信を開始するが、近年、携帯電話機の利用者が増加し、通信に使用される電波の周波数帯域が拡大されてきている。このため、携帯電話機には、拡大された周波数帯域に対応して、常に安定した通信品質を提供できる性能を確保することが要求されている。この場合、携帯電話機には、無線基地局によって指示された周波数の送信信号を安定したレベルで発生する送信回路が必要となる。
【０００３】
図４は、この種の携帯電話機の要部の電気的構成を示すブロック図である。
この携帯電話機１は、同図４に示すように、上側ユニット１０と下側ユニット２０とからなる折り畳み式の筐体を有している。上側ユニット１０には、表示部１１と、アンテナ１２と、受話部（スピーカ）１３と、着信／充電ランプ１４と、マグネット１５とが収容されている。アンテナ１２は、図示しない無線基地局との間で電波を送受信する。表示部１１は、たとえばＬＣＤ（Liquid Crystal Display）などで構成され、相手先の電話番号情報やアイコン情報など、諸々の情報を表示する。受話部１３は、送信相手の音声を発生して利用者に伝達する。着信／充電ランプ１４は、着呼したときには青色で点滅し、充電中には赤色で点灯する。マグネット１５は、上側ユニット１０と下側ユニット２０とが閉状態になったときに同下側ユニット２０に対して磁気を放射する。
【０００４】
下側ユニット２０には、操作部２１と、マイクロホン２２と、ＲＦ回路２３と、変復調回路２４と、ベースバンド処理回路２５と、コーデック回路２６と、磁気センサ２７と、記憶部２８と、制御部３０とが収容されている。操作部２１は、送信ボタン、英字／カナ／漢字／数字の変換ボタン、電源のオン／オフボタン、カーソル操作を行うための十文字ボタン、及び終了ボタンなどから構成されている。マイクロホン２２は、利用者の音声を受けて送話を行う。ＲＦ回路２３は、図示しない受信回路及び送信回路などを有している。
【０００５】
変復調回路２４は、受信電波の復調、及び送信電波の変調を行う。ベースバンド処理回路２５は、変復調回路２４から出力される復調信号より元のベースバンド信号を取り出してコーデック回路２６へ供給すると共に、同復調信号よりキャラクタデータを取り出して制御部３０へ供給する。コーデック回路２６は、ベースバンド処理回路２５から出力されるベースバンド信号をデジタル／アナログ変換（以下、「Ｄ／Ａ変換」という）して受話部１３へ供給すると共に、制御部３０の出力信号をＤ／Ａ変換する。磁気センサ２７は、たとえばホール素子などで構成され、上側ユニット１０と下側ユニット２０とが開状態になり、マグネット１５の磁気が放射されなくなったとき、磁気検出信号Ｍを発生する。記憶部２８は、制御部３０を動作させるための制御プログラムや、表示部１１に表示するためのデータなどを記憶する。制御部３０は、たとえばＣＰＵ（中央処理装置）などで構成され、開閉検出部３１と、回線制御部３２と、表示制御部３３とを備え、携帯電話機１全体を制御する。開閉検出部３１は、上側ユニット１０と下側ユニット２０とが開状態になったとき、磁気センサ２７の磁気検出信号Ｍを検出して開状態検出信号Ｎを発生する。表示制御部３３は、たとえばＬＣＤドライバなどで構成され、表示部１１を駆動する。
【０００６】
図５は、図４中のＲＦ回路２３の要部の電気的構成を示すブロック図である。
このＲＦ回路２３は、同図５に示すように、ドライバアンプ（ＤＲＡＭＰ）４１と、帯域通過フィルタ（Band Pass Filter、ＢＰＦ）４２と、パワーアンプモジュール（ＰＡモジュール）４３と、検波回路４４と、ＡＰＣ（Auto Power Control）コントロール部４５と、アイソレータ（ＩＳＯ）４６と、デュプレクサ（ＤＵＰ）４７と、受信回路（ＲＸ）４８と、アンテナスイッチ（ＡＮＴＳＷ）４９と、ストリップライン（ＳＬ）５０と、試験用のＩ／Ｏポート（Ｉ／Ｏ）５１とから構成されている。検波回路４４は、カップリングコンデンサ５２と、検波ダイオード５３，５４と、抵抗５５，５６，５７と、差動増幅器５８とから構成されている。
【０００７】
このＲＦ回路２３では、無線基地局により指示された周波数の送信用の入力信号ｉｎが、ドライバアンプ４１でＡＰＣ電圧ｇにより設定された利得で増幅され、同ドライバアンプ４１の出力信号ｍがＢＰＦ４２でノイズ除去され、同ＢＰＦ４２の出力信号ｎがＰＡモジュール４３で増幅される。ＰＡモジュール４３の出力信号ｐが検波回路４４のカップリングコンデンサ５２を経て検波ダイオード５３，５４に入力されて検波され、検波電圧Ｖ１が生成される。検波電圧Ｖ１と基準電圧ＲＥＦＶ１とが差動増幅器５８に入力され、同差動増幅器５８の出力信号ｑがＡＰＣコントロール部４５に入力される。ＡＰＣコントロール部４５では、ＰＡモジュール４３の出力信号ｐを所定のレベルに保ようにＡＰＣ電圧ｇを制御する。この場合、たとえば図６に示すように、検波電圧Ｖ１が基準電圧ＲＥＦＶ１よりも低い場合、ＡＰＣ電圧ｇを傾き−ａの直線に沿ってＡ（Ｖ）増加させることにより、ドライバアンプ４１の利得を増加させる。
【０００８】
さらに、ＰＡモジュール４３の出力信号ｐは、所定の高入力インピーダンス及び所定の出力インピーダンスを有するアイソレータ４６に入力され、同アイソレータ４６の出力信号ｕがデュプレクサ４７に入力されて受信帯域のノイズが除去される。デュプレクサ４７の出力信号ｖは、アンテナスイッチ４９及びストリップライン５０を経て出力信号ｗとしてＩ／Ｏポート５１に出力される。
【０００９】
この場合、アイソレータ４６からＩ／Ｏポート５１までの通過損失が、たとえば２ｄＢ、及びＩ／Ｏポート５１の出力信号ｗのレベルが２０ｄＢｍに設定されている場合、ＰＡモジュール４３の出力信号ｐを２２ｄＢｍに設定する必要がある。このため、基準電圧ＲＥＦＶ１の設定値を２２ｄＢｍとし、ＡＰＣ電圧ｇを制御することより、Ｉ／Ｏポート５１の出力信号ｗのレベルが一定となる。
【００１０】
上記の携帯電話機の他、従来、この種の技術としては、たとえば、次のような文献に記載されたものがある。
特許文献１に記載された送信機は、電力検出回路と、送信機の送信電力を調整するための電力制御部と、ある一定量の減衰量を付加又は削除することができる減衰器ａ，ｂとを備えている。そして、減衰器ａ，ｂの減衰量の切換え制御と、電力制御部内のマイクロコンピュータと電圧保持回路による自動レベル制御ループの開閉により、電力計での電力測定回数が削減されて、送信電力制御用送信テーブルの作成が高速に実現する。
【特許文献１】特開２００２−２８０９５８号公報（要約書、図１）
【発明の開示】
【発明が解決しようとする課題】
【００１１】
しかしながら、上記従来の携帯電話機では、次のような問題点があった。
すなわち、近年の携帯電話機の利用者の増加により、通信に使用される電波の周波数帯域が拡大されている状態において、図５のＲＦ回路２３では、アイソレータ４６からＩ／Ｏポート５１までの伝送回路の通過損失は、全周波数で同一ではない。たとえば、図７に示すように、ＴＯＰＬＯＳＳ（通過損失）が１〜３ｄＢの周波数特性をもつ場合、ＰＡモジュール４３の出力信号ｐ（ＰＡ出力電力）のレベルを周波数Ｌ（低），Ｍ（中），Ｈ（高）に関わらず２２ｄＢｍに調整しても、Ｉ／Ｏポート５１の出力信号ｗ（Ｉ／Ｏ出力電力）のレベルが、周波数Ｌ，Ｍ，Ｈに対応して２１，２０，１９ｄＢｍとなり、通信に使用される全ての周波数に対して安定したレベルに調整することが困難である。このため、通信に使用される電波の周波数が無線基地局の指示によって変化する場合、Ｉ／Ｏポート５１の出力信号ｗのレベルが不安定となり、特に周波数が高くなるにつれて、通信切れなどの不具合が発生するという問題点がある。
【００１２】
また、ＲＦ回路２３を構成する各デバイスには、ばらつきがあるため、通信に使用される電波の周波数帯域が拡大されている状態では、Ｉ／Ｏポート５１の出力信号ｗのレベルにも携帯電話機毎のばらつきが発生する。このため、各携帯電話機毎に出力信号ｗのレベル調整が必要となり、生産効率が低下するという問題点がある。
【００１３】
また、特許文献１に記載された送信機は、送信電力制御に必要な送信テーブルの作成が高速化されるものであるため、上記の問題点は、改善されない。
【００１４】
この発明は、上述の事情に鑑みてなされたもので、通信に使用される電波の周波数帯域が拡大されている状態でも、周波数に関わらず一定のレベルの送信信号を出力する無線通信端末を提供することを目的としている。
【課題を解決するための手段】
【００１５】
上記課題を解決するために、請求項１記載の発明は、所定の周波数の送信信号を発生する送信回路を有し、該送信回路は、送信用の入力信号を増幅して前記送信信号を発生する増幅回路と、該増幅回路から発生する前記送信信号を伝送して当該送信回路の外部へ出力する伝送回路とを備えてなる無線通信端末に係り、前記増幅回路から発生する前記送信信号のレベルを第１の目標値に一次調整し、かつ、前記伝送回路から出力される前記送信信号のレベルが当該送信信号の周波数に関わらず第２の目標値となるように、前記増幅回路から発生する前記送信信号のレベルを二次調整する信号レベル調整回路が設けられていることを特徴としている。
【００１６】
請求項２記載の発明は、請求項１記載の無線通信端末に係り、前記送信信号の周波数は、無線基地局によって指示されることを特徴としている。
【００１７】
請求項３記載の発明は、請求項１又は２記載の無線通信端末に係り、前記伝送回路は、高入力インピーダンスを有し、前記増幅回路から発生する前記送信信号を入力して一方向に出力するアイソレータと、該アイソレータから出力される前記送信信号を当該送信回路の外部へ伝送する伝送ラインとを有し、前記信号レベル調整回路は、前記増幅回路から発生する前記送信信号を検波して第１の検波電圧を生成し、該第１の検波電圧と前記第１の目標値との差分に対応した第１の差分信号を生成する第１の検波回路と、前記伝送ラインから出力される前記送信信号を検波して第２の検波電圧を生成し、該第２の検波電圧と前記第２の目標値との差分に対応した第２の差分信号を生成する第２の検波回路と、前記第１の差分信号及び前記第２の差分信号を用いて所定の演算を行い、該演算結果に基づいて前記増幅回路の利得を制御する利得制御部とから構成されていることを特徴としている。
【００１８】
請求項４記載の発明は、請求項３記載の無線通信端末に係り、前記利得制御部は、前記伝送回路の出力側に接続される負荷のインピーダンスに基づいて前記第２の差分信号を調整して前記演算を行う構成とされていることを特徴としている。
【００１９】
請求項５記載の発明は、所定の周波数の送信信号を発生する無線通信端末に用いられ、送信用の入力信号を増幅して前記送信信号を発生する増幅回路と、該増幅回路から発生する前記送信信号を伝送して当該送信回路の外部へ出力する伝送回路とを備えてなる送信回路に係り、前記増幅回路から発生する前記送信信号のレベルを第１の目標値に一次調整し、かつ、前記伝送回路から出力される前記送信信号のレベルが当該送信信号の周波数に関わらず第２の目標値となるように、前記増幅回路から発生する前記送信信号のレベルを二次調整する信号レベル調整回路が設けられていることを特徴としている。
【００２０】
請求項６記載の発明は、請求項５記載の送信回路に係り、前記送信信号の周波数は、無線基地局によって指示されることを特徴としている。
【００２１】
請求項７記載の発明は、請求項５又は６記載の送信回路に係り、前記伝送回路は、高入力インピーダンスを有し、前記増幅回路から発生する前記送信信号を入力して一方向に出力するアイソレータと、該アイソレータから出力される前記送信信号を当該送信回路の外部へ伝送する伝送ラインとを有し、前記信号レベル調整回路は、前記増幅回路から発生する前記送信信号を検波して第１の検波電圧を生成し、該第１の検波電圧と前記第１の目標値との差分に対応した第１の差分信号を生成する第１の検波回路と、前記伝送ラインから出力される前記送信信号を検波して第２の検波電圧を生成し、該第２の検波電圧と前記第２の目標値との差分に対応した第２の差分信号を生成する第２の検波回路と、前記第１の差分信号及び前記第２の差分信号を用いて所定の演算を行い、該演算結果に基づいて前記増幅回路の利得を制御する利得制御部とから構成されていることを特徴としている。
【００２２】
請求項８記載の発明は、請求項７記載の送信回路に係り、前記利得制御部は、前記伝送回路の出力側に接続される負荷のインピーダンスに基づいて前記第２の差分信号を調整して前記演算を行う構成とされていることを特徴としている。
【００２３】
請求項９記載の発明は、送信出力制御方法に係り、所定の周波数の送信信号を発生する送信回路を有し、該送信回路は、送信用の入力信号を増幅して前記送信信号を発生する増幅回路と、該増幅回路から発生する前記送信信号を伝送して当該送信回路の外部へ出力する伝送回路とを備えてなる無線通信端末に用いられ、前記増幅回路から発生する前記送信信号のレベルを第１の目標値に一次調整し、かつ、前記伝送回路から出力される前記送信信号のレベルが当該送信信号の周波数に関わらず第２の目標値となるように、前記増幅回路から発生する前記送信信号のレベルを二次調整することを特徴としている。
【００２４】
請求項１０記載の発明は、請求項９記載の送信出力制御方法に係り、前記送信信号の周波数は、無線基地局によって指示されることを特徴としている。
【００２５】
請求項１１記載の発明は、請求項９又は１０記載の送信出力制御方法に係り、前記増幅回路から発生する前記送信信号を検波して第１の検波電圧を生成し、該第１の検波電圧と前記第１の目標値との差分に対応した第１の差分信号を生成する第１の検波処理と、前記伝送回路から出力される前記送信信号を検波して第２の検波電圧を生成し、該第２の検波電圧と前記第２の目標値との差分に対応した第２の差分信号を生成する第２の検波処理と、前記第１の差分信号及び前記第２の差分信号を用いて所定の演算を行い、該演算結果に基づいて前記増幅回路の利得を制御する利得制御処理とを行うことを特徴としている。
【００２６】
請求項１２記載の発明は、請求項１１記載の送信出力制御方法に係り、前記利得制御処理では、前記伝送回路の出力側に接続される負荷のインピーダンスに基づいて前記第２の差分信号を調整して前記演算を行うことを特徴としている。
【発明の効果】
【００２７】
この発明の構成によれば、信号レベル調整回路により、増幅回路から発生する送信信号のレベルが第１の目標値に一次調整され、かつ、伝送回路から出力される同送信信号のレベルが当該送信信号の周波数に関わらず第２の目標値となるように、同増幅回路から発生する同送信信号のレベルが二次調整されるので、上記伝送回路の周波数特性に対して補正がかかり、同伝送回路から出力される同送信信号が周波数に関わらず高精度で一定のレベルとなるため、通信に使用される電波の周波数帯域が拡大された状態でも、安定した通信を行うことができる。
【発明を実施するための最良の形態】
【００２８】
送信用の入力信号を増幅する増幅回路から発生する送信信号を伝送して外部へ出力する伝送回路の周波数特性に対して補正をかける携帯電話機を提供する。
【実施例】
【００２９】
図１は、この発明の一実施例である無線通信端末の要部の電気的構成を示すブロック図である。
この例の無線通信端末は、同図に示すように、携帯電話機５９であり、上側ユニット６０と下側ユニット７０とからなる折り畳み式の筐体を有している。上側ユニット６０には、表示部６１と、アンテナ６２と、受話部（スピーカ）６３と、着信／充電ランプ６４と、マグネット６５とが収容されている。アンテナ６２は、図示しない無線基地局との間で電波を送受信する。表示部６１は、たとえばＬＣＤなどで構成され、相手先の電話番号情報やアイコン情報など、諸々の情報を表示する。受話部６３は、送信相手の音声を発生して利用者に伝達する。着信／充電ランプ６４は、着呼したときには青色で点滅し、充電中には赤色で点灯する。マグネット６５は、上側ユニット６０と下側ユニット７０とが閉状態になったときに同下側ユニット７０に対して磁気を放射する。
【００３０】
下側ユニット７０には、操作部７１と、マイクロホン７２と、ＲＦ回路７３と、変復調回路７４と、ベースバンド処理回路７５と、コーデック回路７６と、磁気センサ７７と、記憶部７８と、制御部８０とが収容されている。操作部７１は、送信ボタン、英字／カナ／漢字／数字の変換ボタン、電源のオン／オフボタン、カーソル操作を行うための十文字ボタン、及び終了ボタンなどから構成されている。マイクロホン７２は、利用者の音声を受けて送話を行う。ＲＦ回路７３は、図示しない受信回路及び送信回路などを有している。
【００３１】
変復調回路７４は、受信電波の復調、及び送信電波の変調を行う。ベースバンド処理回路７５は、変復調回路７４から出力される復調信号より元のベースバンド信号を取り出してコーデック回路７６へ供給すると共に、同復調信号よりキャラクタデータを取り出して制御部８０へ供給する。コーデック回路７６は、ベースバンド処理回路７５から出力されるベースバンド信号をデジタル／アナログ変換して受話部６３へ供給すると共に、制御部８０の出力信号をＤ／Ａ変換する。磁気センサ７７は、たとえばホール素子などで構成され、上側ユニット６０と下側ユニット７０とが開状態になり、マグネット６５の磁気が放射されなくなったとき、磁気検出信号Ｍを発生する。記憶部７８は、制御部８０を動作させるための制御プログラムや、表示部６１に表示するためのデータなどを記憶する。制御部８０は、たとえばＣＰＵなどで構成され、開閉検出部３１と、回線制御部３２と、表示制御部３３とを備え、携帯電話機１全体を制御する。開閉検出部３１は、上側ユニット１０と下側ユニット２０とが開状態になったとき、磁気センサ２７の磁気検出信号Ｍを検出して開状態検出信号Ｎを発生する。表示制御部３３は、たとえばＬＣＤドライバなどで構成され、表示部１１を駆動する。
【００３２】
図２は、図１中のＲＦ回路７３の要部の電気的構成を示すブロック図である。
このＲＦ回路７３は、同図２に示すように、ドライバアンプ（ＤＲＡＭＰ）９１と、帯域通過フィルタ（ＢＰＦ）９２と、パワーアンプモジュール（ＰＡモジュール）９３と、検波回路９４と、ＡＰＣ（Auto Power Control）コントロール部９５と、アイソレータ（ＩＳＯ）９６と、デュプレクサ（ＤＵＰ）９７と、受信回路（ＲＸ）９８と、アンテナスイッチ（ＡＮＴＳＷ）９９と、ストリップライン（ＳＬ）１００と、検波回路１０１と、Ｉ／Ｏポート（Ｉ／Ｏ）１０２とから構成されている。ドライバアンプ９１は、無線基地局により指示された周波数の送信用の入力信号ｉｎを、ＡＰＣコントロール部９５からのＡＰＣ電圧ｇにより設定された利得で増幅する。ＢＰＦ９２は、ドライバアンプ９１の出力信号ｍのノイズを除去する。ＰＡモジュール９３は、ＢＰＦ９２の出力信号ｎを増幅する。検波回路９４は、カップリングコンデンサ１０３と、検波ダイオード１０４，１０５と、抵抗１０６，１０７，１０８と、差動増幅器１０９とから構成されている。検波ダイオード１０４，１０５は、ＰＡモジュール９３の出力信号ｐをカップリングコンデンサ１０３を経て入力して検波し、検波電圧Ｖ１を生成する。差動増幅器５８は、検波電圧Ｖ１と基準電圧ＲＥＦＶ１との差分に対応した差分信号ｑ（第１の差分信号）を生成してＡＰＣコントロール部９５へ送出する。
【００３３】
アイソレータ９６は、所定の高入力インピーダンス及び低出力インピーダンスを有し、ＰＡモジュール９３の出力信号ｐを入力して一方向に出力する。デュプレクサ９７は、アイソレータ４６の出力信号ｕの受信帯域のノイズを除去する。受信回路９８は、無線基地局から送信された信号を受信する。アンテナスイッチ９９は、デュプレクサ９７とストリップライン１００との間で入出力される信号のオン／オフ状態を制御する。ストリップライン１００は、アンテナスイッチ９９とＩ／Ｏポート１０２との間で図示しないプリント基板に形成される伝送ラインである。
【００３４】
検波回路１０１は、方向性カプラ１１０と、抵抗１１１と、検波ダイオード１１２と、抵抗１１３，１１４，１１５と、差動増幅器１１６とから構成されている。方向性カプラ１１０は、ストリップライン１００から出力される出力信号ｗを、Ｉ／Ｏポート１０２側と検波ダイオード１１２側とに分岐する。検波ダイオード１１２は、方向性カプラ１１０で分岐された出力信号ｗを検波し、抵抗１１１と相俟って検波電圧Ｖ２を生成する。差動増幅器１１６は、検波電圧Ｖ２と基準電圧ＲＥＦＶ２との差分に対応した差分信号ｚ（第２の差分信号）を生成してＡＰＣコントロール部９５へ出力する。ＡＰＣコントロール部９５は、差動増幅器５８からの差分信号ｑ及び差動増幅器１１６からの差分信号ｚに対して所定の演算を行い、この演算結果に基づいて、ドライバアンプ９１の利得を制御するためのＡＰＣ電圧ｇを生成する。この場合、ＡＰＣコントロール部９５は、Ｉ／Ｏポート１０２の出力側に接続される負荷のインピーダンスに基づいて設定された係数ｋにより差分信号ｚを調整して上記演算を行う。
【００３５】
上記ドライバアンプ９１、ＢＰＦ９２及びＰＡモジュール９３により、無線基地局により指示された周波数の送信用の入力信号ｉｎ増幅して送信信号（ＰＡモジュール９３の出力信号ｐ）を発生する増幅回路が構成されている。また、上記アイソレータ９６、デュプレクサ９７、アンテナスイッチ９９、ストリップライン１００及びＩ／Ｏポート１０２により、ＰＡモジュール９３の出力信号ｐを伝送してＲＦ回路７３の外部へ出力信号ｗとして出力する伝送回路が構成されている。また、上記検波回路９４、検波回路１０１及びＡＰＣコントロール部９５により、ＰＡモジュール９３の出力信号ｐのレベルを第１の目標値（基準電圧ＲＥＦＶ１）に一次調整し、かつ、ストリップライン１００から出力される出力信号ｗのレベルが同出力信号ｗの周波数に関わらず第２の目標値（基準電圧ＲＥＦＶ２）となるように、同ＰＡモジュール９３の出力信号ｐのレベルを二次調整する信号レベル調整回路が構成されている。
【００３６】
図３は、図２中のＡＰＣコントロール部９５の動作を説明する図であり、同図（ａ）は、検波電圧Ｖ１及び基準電圧ＲＥＦＶ１とＡＰＣ電圧ｇの増減との関係を示す図、及び同図（ｂ）が、検波電圧Ｖ２及び基準電圧ＲＥＦＶ２とＡＰＣ電圧ｇの増減との関係を示す図である。
これらの図を参照して、この例の携帯電話機に用いられる送信出力制御方法の処理内容について説明する。
この携帯電話機のＲＦ回路７３では、ＰＡモジュール９３の出力信号ｐのレベルが基準電圧ＲＥＦＶ１に一次調整され、かつ、ストリップライン１００から出力される出力信号ｗのレベルが同出力信号ｗの周波数に関わらず基準電圧ＲＥＦＶ２となるように、同ＰＡモジュール９３の出力信号ｐのレベルが二次調整される。
【００３７】
すなわち、このＲＦ回路７３では、無線基地局により指示された周波数の送信用の入力信号ｉｎが、ドライバアンプ９１でＡＰＣ電圧ｇにより設定された利得で増幅され、同ドライバアンプ９１の出力信号ｍがＢＰＦ９２でノイズ除去され、同ＢＰＦ９２の出力信号ｎがＰＡモジュール９３で増幅される。ＰＡモジュール９３の出力信号ｐが検波回路９４のカップリングコンデンサ１０３を経て検波ダイオード１０４，１０５に入力されて検波され、検波電圧Ｖ１が生成される。検波電圧Ｖ１と基準電圧ＲＥＦＶ１とが差動増幅器１０９に入力され、同検波電圧Ｖ１と同基準電圧ＲＥＦＶ１との差分に対応した差分信号ｑが生成される（第１の検波処理）。差分信号ｑは、ＡＰＣコントロール部９５に送出される。
【００３８】
ＡＰＣコントロール部９５では、ＰＡモジュール９３の出力信号ｐのレベルが基準電圧ＲＥＦＶ１になるようにＡＰＣ電圧ｇが制御される。この場合、たとえば図３（ａ）に示すように、検波電圧Ｖ１が基準電圧ＲＥＦＶ１よりも低い場合、従来技術の図６と同様に、ＡＰＣ電圧ｇを傾き−ａの直線に沿って、次式に示すように、Ａ（Ｖ）増加させることにより、ドライバアンプ９１の利得を増加させる。
ＡＰＣ電圧ｇの増減＝−ａ×検波電圧Ｖ１＝Ａ（Ｖ）
【００３９】
一方、ＰＡモジュール９３の出力信号ｐは、アイソレータ９６に入力され、同アイソレータ９６の出力信号ｕがデュプレクサ９７に入力されて受信帯域のノイズが除去される。デュプレクサ９７の出力信号ｖは、アンテナスイッチ９９、ストリップライン１００及び検波回路１０１を経て出力信号ｗとしてＩ／Ｏポート１０２に出力される。出力信号ｗは、検波回路１０１の方向性カプラ１１０で分岐され、検波ダイオード１１２に入力されて検波され、検波電圧Ｖ２が生成される。検波電圧Ｖ２と基準電圧ＲＥＦＶ２とが差動増幅器１１６に入力され、同検波電圧Ｖ２と同基準電圧ＲＥＦＶ２との差分に対応した差分信号ｚが生成される（第２の検波処理）。差分信号ｚは、ＡＰＣコントロール部９５に送出される。
【００４０】
ＡＰＣコントロール部９５では、出力信号ｗのレベルが同出力信号ｗの周波数に関わらず基準電圧ＲＥＦＶ２となるようにＡＰＣ電圧ｇが制御される。この場合、たとえば図３（ｂ）に示すように、検波電圧Ｖ２が基準電圧ＲＥＦＶ２よりも高い場合、ＡＰＣ電圧ｇを傾き−ｂ（ただし、ａ＞ｂ）の直線に沿ってＢ（Ｖ）減少させることにより、ドライバアンプ９１の利得を減少させる。これにより、アイソレータ９６からＩ／Ｏポート１０２までの伝送回路の周波数特性に対して補正がかかる。
【００４１】
ここで、Ｉ／Ｏポート１０２が試験用ポートであるため、接続される負荷のインピーダンスによって検波電圧Ｖ２のレベルが大きく左右される。接続される負荷の特性は、容量性、誘導性、無誘導性、及び、これらを混合したものがあり、特に限定されない。このため、図３（ｂ）中の直線の傾き−ｂは、Ｉ／Ｏポート１０２に接続される負荷のインピーダンスに応じて調整する必要があり、次式に示すように、負荷のインピーダンスに対応した係数ｋが必要となる。
ＡＰＣ電圧ｇの増減＝ｋ（−ｂ×検波電圧Ｖ２）＝Ｂ
係数ｋは、０〜１の実数で設定され、検波電圧Ｖ２が負荷のインピーダンスの影響を受けない場合は１となり、影響を受けるにつれて０に近づく。従って、ＡＰＣコントロール部９５は、ＡＰＣ電圧ｇを（Ａ−Ｂ）（Ｖ）上げることにより、ドライバアンプ９１の利得を制御する（利得制御処理）。そして、ＰＡモジュール９３の出力信号ｐのレベルが二次調整され、ストリップライン１００から出力される出力信号ｗのレベルが同出力信号ｗの周波数に関わらず基準電圧ＲＥＦＶ２となる。
【００４２】
以上のように、この実施例では、ＰＡモジュール９３の出力信号ｐのレベルが基準電圧ＲＥＦＶ１に一次調整され、かつ、ストリップライン１００から出力される出力信号ｗのレベルが同出力信号ｗの周波数に関わらず基準電圧ＲＥＦＶ２となるように、同ＰＡモジュール９３の出力信号ｐのレベルが二次調整されるので、アイソレータ９６からＩ／Ｏポート１０２までの伝送回路の周波数特性に対して補正がかかり、同出力信号ｗが周波数に関わらず高精度で一定のレベルとなるため、近年の携帯電話機の利用者の増加により、通信に使用される電波の周波数帯域が拡大された状態でも、安定した通信が行われる。また、試験用ポートであるＩ／Ｏポート１０２に接続される外部回路の種類に関わらず、出力信号ｗのレベルが安定する。
【００４３】
以上、この発明の実施例を図面により詳述してきたが、具体的な構成は同実施例に限られるものではなく、この発明の要旨を逸脱しない範囲の設計の変更などがあっても、この発明に含まれる。
たとえば、上記実施例では、無線通信端末は、携帯電話機であるが、この発明は、たとえばＰＤＡ（Personal Digital Assistants ）など、無線基地局により指示された周波数の送信信号を発生する送信回路を有する無線通信端末全般に適用できる。
【産業上の利用可能性】
【００４４】
この発明は、携帯電話機に限らず、通信に使用される電波の周波数が変化する無線通信端末全般に適用でき、特に、上記電波の周波数帯域が拡大された状態で有効である。
【図面の簡単な説明】
【００４５】
【図１】この発明の一実施例である携帯電話機の要部の電気的構成を示すブロック図である。
【図２】図１中のＲＦ回路７３の要部の電気的構成を示すブロック図である。
【図３】図２中のＡＰＣコントロール部９５の動作を説明する図である。
【図４】従来の携帯電話機の要部の電気的構成を示すブロック図である。
【図５】図４中のＲＦ回路２３の要部の電気的構成を示すブロック図である。
【図６】図５中のＡＰＣコントロール部４５の動作を説明する図である。
【図７】図５のＲＦ回路２３における通過損失を説明する図である。
【符号の説明】
【００４６】
５９      携帯電話機（無線通信端末）
７３      ＲＦ回路（送信回路）
９１      ドライバアンプ（ＤＲＡＭＰ）（増幅回路の一部）
９２      帯域通過フィルタ（ＢＰＦ）（増幅回路の一部）
９３      パワーアンプモジュール（ＰＡモジュール）（増幅回路の一部）
９４      検波回路（信号レベル調整回路の一部、第１の検波回路）
９５      ＡＰＣ（Auto Power Control）コントロール部（利得制御部）
９６      アイソレータ（ＩＳＯ）（伝送回路の一部）
９７      デュプレクサ（ＤＵＰ）（伝送回路の一部）
９９      アンテナスイッチ（ＡＮＴＳＷ）（伝送回路の一部）
１００      ストリップライン（ＳＬ）（伝送回路の一部、伝送ライン）
１０１      検波回路（信号レベル調整回路の一部、第２の検波回路）
１０２      Ｉ／Ｏポート（Ｉ／Ｏ）（伝送回路の一部）
【図１】
2007174252.tif 000003
【図２】
2007174252.tif 000004
【図３】
2007174252.tif 000005
【図４】
2007174252.tif 000006
【図５】
2007174252.tif 000007
【図６】
2007174252.tif 000008
【図７】
2007174252.tif 000009